(57)【特許請求の範囲】
【請求項１】
下端から吸上げパイプ２を垂設しかつ前面からノズル３を突設した縦型の外筒１を設け、該外筒１内に上下両端を開放したシリンダ４を水密にかつ下端を外筒下端部から離間させて内装し、該シリンダ４とその外筒１との間にシリンダ下端から上記ノズル３へと通じる吐出流路５を形成し、上記外筒１内の下端部に上記吸上げパイプ２から上記シリンダ４内の下端部へと通じる吸込み流路６を形成し、そのシリンダ４内に上方からプランジャ７を出入摺動自在に挿入し、上記外筒１内の下端部にその吸込み流路６を開閉する吸込み弁８とその吐出流路５を開閉する吐出弁９とを装備させ、それらの吸込み弁８及び吐出弁９につき、上記外筒１内で下端部から起立筒１０を突設し、該起立筒１０の内側から複数の支持脚１１を介して上記シリンダ４内下部へと伸出する水平弁座板１２を連設して、その起立筒１０乃至水平弁座板１２の内側に上記吸込み流路６を形成するとともに、その起立筒１０の外周に弾性変形可能な軟材質の弁部材１３を下端部の筒状基部１４にて嵌合固定させ、該弁部材１３には筒状基部１４の上端から上記複数の支持脚１１及び水平弁座板１２を囲成する筒状垂直吸込み弁部１５とフランジ状水平吐出弁部１６とを一体に連設して、その筒状垂直吸込み弁部１５の内周縁を上記水平弁座板１２の周面に当接させることにより吸込み弁８を、また、フランジ状水平吐出弁部１６の上周縁を上記シリンダ４の下端に当接させることにより吐出弁９を形成したことを特徴とする液体注出容器のプランジャ型ポンプ。
【請求項２】
上記外筒１の上部外周に容器体の口頸部へ取り付けるための装着筒１８を装備させ、上記シリンダ４内にスプリング１９を内装し、該スプリング１９の下端を上記水平弁座板１２の上面に支持させて上端で上記プランジャ７を上方へと付勢し、上記外筒１の上端部と上記プランジャ７の上端部との間に押し下げ状態でのプランジャ７を保持する着脱自在な螺合手段３７を講じて成る請求項１に記載の液体注出容器のプランジャ型ポンプ。
【請求項３】
上記外筒１の上部外周に容器体の口頸部へ取り付けるための装着筒１８を装備させ、上記シリンダ４内にスプリング１９を内装し、該スプリング１９の下端を上記水平弁座板１２の上面に支持させて上端で上記プランジャ７を上方へと付勢し、上記外筒１の上端部と上記プランジャ７の上端部との間に押し下げ状態でのプランジャ７を保持する着脱自在な係止手段４１を講じて成る請求項１に記載の液体注出容器のプランジャ型ポンプ。
【請求項４】
上記外筒１と上記シリンダ４とを円筒に形成してそのシリンダ４を外筒１に対し回動可能に嵌合させ、上記プランジャ７を出入操作筒２０の下端にピストン２１を固定したものとしてそのシリンダ４内に昇降摺動自在にかつ回転不能に嵌合させ、上記吐出流路５をそのシリンダ４の前面で縦溝状に形成して上端を上記ノズル３に連通させ、また、上記外筒１と上記シリンダ４の上部の適所に上昇限に位置する上記ピストン２１で閉孔されかつ該ピストン２１の下降で開孔されて上記出入操作筒２０と上記シリンダ４との間の隙間から外気を導入して容器体内へと供給する容器体内負圧化防止用通気孔２２，２３を相互に連通させて穿設し、もって、上記吐出流路５と上記ノズル３との間並びに上記両容器体内負圧化防止用通気孔２２，２３の相互間を上記シリンダ４の回動に伴い機械的に開閉させる構造として成る請求項１、請求項２又は請求項３に記載の液体注出容器のプランジャ型ポンプ。
【発明の詳細な説明】
【０００１】
【発明の属する技術分野】
本発明は、容器体の口頸部に装着して、プランジャの上下動により、容器体内の液体を吸い上げては注出する液体注出容器のプランジャ型ポンプに関する。
【０００２】
【従来の技術】
従来例１．
一般のプランジャポンプは、吸込み口と吐出口とを有するシリンダに出入作動させるプランジャを備え、その吸込み口の側に吸込み弁を、また、吐出口の側に吐出弁を個別に備えており、そのプランジャを出入操作することにより、吸込み弁及び吐出弁を働かせて、吸込み口から液体を吸い込んでは加圧して、吐出口から送り出すように成っている。
【０００３】
従来例２．
容器体の口頸部に装着した周知の押下げノズルヘッド付きポンプは、下端から吸上げパイプを垂設した縦型のシリンダの下端部に吸込み弁を設け、シリンダ内に上方から管状プランジャを昇降摺動自在に挿入し、該管状プランジャの上端部の内側に吐出弁を設けるとともに、上端部の外側に押下げノズルヘッドを嵌合し、シリンダ内に管状プランジャ及び押下げノズルヘッドを上方へと付勢するスプリングを内装しており、押下げノズルヘッドをスプリングに抗して押し下げし、放しして、管状プランジャをその押し下げとスプリングによる上昇とで昇降動させることにより、吸込み弁及び吐出弁を働かせて、容器体内の液体を吸上げパイプを通じて吸い上げては加圧して、押下げノズルヘッドのノズルから噴出させるように成っている。
【０００４】
従来例３．
例えば実開昭６３‐８８９７１号公報の液体注出容器では、容器体の口頸部に弾性変形自在なドーム状ヘッドを有するポンプを装着しており、このポンプは、前面からノズルを突出するキャップ状の本体の頂壁中央に吸込み弁を設けるとともに、その頂壁から吸込み弁に通じる吸上げパイプを垂設し、その頂壁の上に弾性変形自在なドーム状ヘッドを設けて、該ドーム状ヘッドの内部に加圧室を形成し、また、該加圧室から上記ノズルに至る吐出流路を形成して、該吐出流路に吐出弁を設けたものであり、ドーム状ヘッドの押し込み変形と自体の弾力による復元とにより、吸込み弁及び吐出弁を働かせて、容器体内の液体を吸上げパイプを通じて吸い上げては加圧して、ノズルから噴出させるように成っている。
【０００５】
【発明が解決しようとする課題】
しかし、従来例１．乃至従来例２．ではいずれの場合も、吸込み弁と吐出弁とが別個に設けられているため、弁に関する構造が複雑に成っている。
更に、従来例１．の場合、容器体の口頸部に装着して便利に使用できるようにするには未だ一工夫を要し、従来例２．の場合、押下げノズルヘッドを昇降させるので、液体注出中にノズルが昇降する不便がある。
また、従来例３．の場合、ドーム状ヘッドの変形とその復元とで液体注出を行うため、比較的少量の液体注出には適するものの、液体注出量を多くしたい場合には不適当である。
本発明は、それらの問題点を解決しようとするものであり、併せて、転倒時の液漏れ等を簡単な操作で防止できるようにしようとするものである。
【０００６】
【課題を解決するための手段】
請求項１の発明は、下端から吸上げパイプ２を垂設しかつ前面からノズル３を突設した縦型の外筒１を設け、該外筒１内に上下両端を開放したシリンダ４を水密にかつ下端を外筒下端部から離間させて内装し、該シリンダ４とその外筒１との間にシリンダ下端から上記ノズル３へと通じる吐出流路５を形成し、上記外筒１内の下端部に上記吸上げパイプ２から上記シリンダ４内の下端部へと通じる吸込み流路６を形成し、そのシリンダ４内に上方からプランジャ７を出入摺動自在に挿入し、上記外筒１内の下端部にその吸込み流路６を開閉する吸込み弁８とその吐出流路５を開閉する吐出弁９とを装備させ、それらの吸込み弁８及び吐出弁９につき、上記外筒１内で下端部から起立筒１０を突設し、該起立筒１０の内側から複数の支持脚１１を介して上記シリンダ４内下部へと伸出する水平弁座板１２を連設して、その起立筒１０乃至水平弁座板１２の内側に上記吸込み流路６を形成するとともに、その起立筒１０の外周に弾性変形可能な軟材質の弁部材１３を下端部の筒状基部１４にて嵌合固定させ、該弁部材１３には筒状基部１４の上端から上記複数の支持脚１１及び水平弁座板１２を囲成する筒状垂直吸込み弁部１５とフランジ状水平吐出弁部１６とを一体に連設して、その筒状垂直吸込み弁部１５の内周縁を上記水平弁座板１２の周面に当接させることにより吸込み弁８を、また、フランジ状水平吐出弁部１６の上周縁を上記シリンダ４の下端に当接させることにより吐出弁９を形成したことを特徴とする。
【０００７】
請求項２の発明は、上述の請求項１の発明にあって、上記外筒１の上部外周に容器体の口頸部へ取り付けるための装着筒１８を装備させ、上記シリンダ４内にスプリング１９を内装し、該スプリング１９の下端を上記水平弁座板１２の上面に支持させて上端で上記プランジャ７を上方へと付勢し、上記外筒１の上端部と上記プランジャ７の上端部との間に押し下げ状態でのプランジャ７を保持する着脱自在な螺合手段３７を講じて成る。
【０００８】
請求項３の発明は、上述の請求項１の発明にあって、上記外筒１の上部外周に容器体の口頸部へ取り付けるための装着筒１８を装備させ、上記シリンダ４内にスプリング１９を内装し、該スプリング１９の下端を上記水平弁座板１２の上面に支持させて上端で上記プランジャ７を上方へと付勢し、上記外筒１の上端部と上記プランジャ７の上端部との間に押し下げ状態でのプランジャ７を保持する着脱自在な係止手段４１を講じて成る。
【０００９】
請求項４の発明は、既述請求項１、請求項２又は請求項３の発明にあって、上記外筒１と上記シリンダ４とを円筒に形成してそのシリンダ４を外筒１に対し回動可能に嵌合させ、上記プランジャ７を出入操作筒２０の下端にピストン２１を固定したものとしてそのシリンダ４内に昇降摺動自在にかつ回転不能に嵌合させ、上記吐出流路５をそのシリンダ４の前面で縦溝状に形成して上端を上記ノズル３に連通させ、また、上記外筒１と上記シリンダ４の上部の適所に上昇限に位置する上記ピストン２１で閉孔されかつ該ピストン２１の下降で開孔されて上記出入操作筒２０と上記シリンダ４との間の隙間から外気を導入して容器体内へと供給する容器体内負圧化防止用通気孔２２，２３を相互に連通させて穿設し、もって、上記吐出流路５と上記ノズル３との間並びに上記両容器体内負圧化防止用通気孔２２，２３の相互間を上記シリンダ４の回動に伴い機械的に開閉させる構造として成る。
【００１０】
【発明の実施の形態】
その１．
図１及び図２は、請求項１及び請求項４の発明の実施形態に係る液体注出容器の合成樹脂製プランジャ型ポンプを示している。
図において、１は、下端（中央）の嵌合小筒１７から吸上げパイプ２を嵌合垂設しかつ前面からノズル３を突設した縦型有底円筒状の外筒、４は、該外筒１内に水密にかつ下端を外筒１の下端部から離間させて回転可能に嵌合内装した上下両端開放の縦型円筒状のシリンダ、５は、該シリンダ４とその外筒１との間でシリンダ前面にシリンダ下端からノズル３へと連通させて形成した縦溝状の吐出流路、６は、外筒１内の下端部に吸上げパイプ２からシリンダ４内の下端部へと連通させて形成した吸込み流路、７は、シリンダ４内に上方から出入摺動自在にかつ回転不能に挿入したプランジャ、８は、外筒１内の下端部に吸込み流路６を開閉させるよう装備させた吸込み弁、９は、外筒１内の下端部に吐出流路５を開閉させるよう装備させた吐出弁である。
１８は、外筒１の上部外周に容器体の口頸部へ取り付けるために嵌合装備させた装着筒（内ねじ螺筒）、１９は、シリンダ４内に内装し、下端を後記円盤状水平弁座板１２の上面に支持させて、上端でプランジャ７を上方へと付勢させたスプリング、４５は、外筒１から突出するプランジャ７の上部に上方から被装して下端部をその外筒１の上端部外周に着脱自在に嵌合させたキャップである。
【００１１】
吸込み弁８及び吐出弁９は、外筒１内で下端部から起立筒１０を突設し、該起立筒１０の内側から複数の支持脚１１を介して上記シリンダ４内下部へと伸出する円盤状水平弁座板１２を連設して、その起立筒１０乃至円盤状水平弁座板１２の内側に上記吸込み流路６を形成するとともに、その起立筒１０の外周に弾性変形可能な軟材質の弁部材１３を下端部の筒状基部１４にて嵌合固定させ、該弁部材１３には筒状基部１４の上端から上記複数の支持脚１１及び円盤状水平弁座板１２を囲成する筒状垂直吸込み弁部１５とフランジ状水平吐出弁部１６とを一体に連設して、その筒状垂直吸込み弁部１５の内周縁を円盤状水平弁座板１２の周面に当接させることにより吸込み弁８を、また、フランジ状水平吐出弁部１６の上周縁を上記シリンダ４の下端に当接させることにより吐出弁９を形成している。
【００１２】
プランジャ７は、周縁部２５を外方へと突出した頂壁２４を有する出入操作筒２０の下端部内周に、キャップ状の基部２６の下端にスカートを上下に突出したスカート部２７を連設したピストン２１を、基部２６にて嵌合固定しており、その出入操作筒２０の内周の中途部乃至上部に複数の縦リブ２８を配設するとともに、下端部の内周に係止突条２９を設けて、それらの縦リブ２８の下端でそのピストン２１の基部２６の上面を受け、かつ、該基部２６の外周適所に係止突条３０を周設して出入操作筒２０下端部の係止突条２９と係合させている。また、出入操作筒２０には、外周面に複数の縦案内溝３１を配設し、シリンダ４内の上端部にそれらの縦案内溝３１と係合する複数の縦案内突条３２を設けて、シリンダ４内に昇降摺動自在にかつ回転不能に嵌合させている。
【００１３】
外筒１とシリンダ４には、外筒１の上端部内周に係合凹溝３３を周設し、シリンダ４の上端部外周に係合突条３４を周設して、相互を回転可能に係合させることにより、シリンダ４を吊り下げ状態に保持させており、また、外筒１とシリンダ４の後面上部の適所に、上昇限に位置するピストン２１のスカート部２７で閉孔されかつ該ピストン２１の下降で開孔されて出入操作筒２０とシリンダ４との間の隙間から外気を導入して容器体内へと供給する容器体内負圧化防止用通気孔２２，２３を相互に連通させて穿設しており、もって、出入操作筒２０を手回動させることにより、シリンダ４を適宜に回動させて、吐出流路５とノズル３との間並びに両容器体内負圧化防止用通気孔２２，２３の相互間を機械的に開閉させるようにしている。
【００１４】
スプリング１９の下端は、円盤状水平弁座板１２の上面に横断面十字状の起立片３５を立設して嵌合支持させ、上端は、ピストン２１のキャップ状の基部２６に挿入して頂壁に突き当てるとともに、該基部２６の内周面に複数の支持縦突条３６を配設して嵌合支持させている。
【００１５】
如上の構成であり、使用に当たっては、液体を収容した容器体の口頸部に装着筒１８をもって螺着する。そして、その液体を注出するときは、キャップ４５を取り外して、プランジャ７を出入操作筒２０の押し込み操作によりスプリング１９に抗して押し下げし、放してスプリング１９の弾力で復帰させる。これを一乃至複数回行うことにより、その都度吸込み弁８及び吐出弁９が働いて、シリンダ４内が加圧態勢、負圧態勢となり、容器内の液体が、その負圧態勢において、吸上げパイプ２、吸込み流路６及び吸込み弁８を経てシリンダ４内に吸い上げられ、加圧態勢において、シリンダ４内で加圧された液体が吐出弁９及び吐出流路５を経てノズル３から外部へと注出される。
そして、シリンダ４内の負圧態勢では、容器体内の液体がシリンダ４内へと吸い上げられるため、容器体内が負圧化態勢となるが、このときには、プランジャ７の下降に伴い容器体内負圧化防止用通気孔２２，２３が開孔して、外気が出入操作筒２０とシリンダ４との間の隙間から流入し、容器体内負圧化防止用通気孔２２，２３を経て容器体内に流入し、容器体内は大気圧に維持される。
また、吸込み弁８は、弁部材１３が弾性変形可能な軟材質であるから、その吸い込みの際にのみシリンダ４内の負圧化で筒状垂直吸込み弁部１５が拡がって、円盤状水平弁座板１２から離間し、開弁する。また、吐出弁９は、その注出の際にのみシリンダ４内の加圧により液圧でフランジ状水平吐出弁部１６が押し下げられて、シリンダ４の下端から離間し、開弁する。
注出後、プランジャ７を出入操作筒２０の回動操作により回動させれば、シリンダ４も回動し、吐出流路６とノズル３との間並びに両容器体内負圧化防止用通気孔２２，２３の相互間が閉じ、転倒等による液漏れが阻止される。
【００１６】
その２．
図３及び図４は、請求項２及び請求項４の発明の実施形態に係る液体注出容器の合成樹脂製プランジャ型ポンプを示している。
この場合は、上述のその１．のものにおいて、外筒１の上端部とプランジャ７の上端部との間に、押し下げ状態でのプランジャ７を保持する着脱自在な螺合手段３７を講じている。
この螺合手段３７は、外筒１の上端からやや大径の張出し短筒３８を一体に起立させ、該張出し短筒３８の内周に適数の螺条４６を設け、また、プランジャ７における出入操作筒２０の頂壁２４周縁部を外方へ大きく突出させて張出し周縁部３９に形成し、該張出し周縁部３９の下面に上記張出し短筒３８の螺条４６と螺合させる短螺筒４０を垂設しており、プランジャ７の押し下げ状態において、短螺筒４０を張出し短筒３８の螺条４６へと螺合させることによって、その押し下げ状態を保持できるようにしている。
なお、張出し短筒３８の螺条４６と短螺筒４０とは、内外逆でもよい。
その他の構造及び作用等については、その１．の場合と同じにつき、説明を省略する。
【００１７】
その３．
図５及び図６は、請求項３及び請求項４の発明の実施形態に係る液体注出容器の合成樹脂製プランジャ型ポンプを示している。
この場合は、上述のその２のものにおいて、外筒１の上端部とプランジャ７の上端部との間に、押し下げ状態でのプランジャ７を保持する着脱自在な係止手段４１を講じている。
この係止手段４１は、外筒１の上端から外向きフランジ４７を突設し、該外向きフランジ４７の適所に複数の切欠４２を形成し、また、プランジャ７における出入操作筒２０の頂壁２４周縁部を外方へ大きく突出させて張出し周縁部３９に形成し、該張出し周縁部３９の下面に上記外向きフランジ４７の外側に着脱自在に嵌める短垂筒４３を垂設し、該短垂筒４３の内縁に上記各切欠４２と対応させて複数の係止爪４４を突設しており、プランジャ７の押し下げ状態において、各係止爪４４を上記各切欠４２に通過させて短垂筒４３を外向きフランジ４７に嵌め、かつ、回動させて係止爪４４をその外向きフランジ４７に係合させることによって、その押し下げ状態を保持できるようにしている。
なお、係止爪４４を短垂筒４３の外縁に設けて、外筒１の上端に適宜に形成した内向きフランジに係合させるようにしてもよい。フランジではなく単なる係止鈎部に形成してもよい。
その他の構造及び作用等については、その１．の場合と同じにつき、説明を省略する。
【００１８】
【発明の効果】
請求項１、請求項２、請求項３及び請求項４の発明によれば、既述構成であるから、吸込み弁８と吐出弁９とを一つに設けることができて、弁に関する構造を簡潔にでき、プランジャ型ポンプであっても支障なく容器体の口頸部に装着できて、そのポンプ操作にもノズルが昇降することはなく、しかも、プランジャ７の一度の操作で高効率に多量の液体を注出できて、便利に使用できる。
加えて、請求項２及び請求項３の発明によれば、プランジャ７を押し下げた状態にして、螺合手段３７を螺合させ、又は、係止手段４１を係合させることによって、その押し下げ状態を保持でき、したがって、商品流通過程での形態を小さくできて、梱包、運搬、保管等に頗る便利である。
また、請求項４の発明によれば、出入操作筒２０を回動操作してプランジャ７を回動させることにより、シリンダ４を回動させれば、吐出流路６とノズル３との間並びに両容器体内負圧化防止用通気孔２２，２３の相互間を容易に閉じることができ、したがって、転倒等による液漏れを的確に防止することができる。
【図面の簡単な説明】
【図１】請求項１及び請求項４の発明に係る液体注出容器のプランジャ型ポンプの実施形態その１．を示す縦断側面図である。
【図２】図１のキャップを外した状態でのＡ−Ａ線断面図である。
【図３】請求項２及び請求項４の発明に係る液体注出容器のプランジャ型ポンプの実施形態その２．を示す縦断側面図である。
【図４】図３のＢ−Ｂ線断面図である。
【図５】請求項３及び請求項４の発明に係る液体注出容器のプランジャ型ポンプの実施形態その３．を示す縦断側面図である。
【図６】図５のＣ−Ｃ線断面図である。
【符号の説明】
１…外筒                        ２…吸上げパイプ
３…ノズル                      ４…シリンダ
５…吐出流路                    ６…吸込み流路
７…プランジャ                  ８…吸込み弁
９…吐出弁                      １０…起立筒
１１…支持脚                      １２…水平弁座板
１３…弁部材                      １４…筒状基部
１５…筒状垂直吸込み弁部          １６…フランジ状水平吐出弁部
１７…嵌合小筒                    １８…装着筒
１９…スプリング                  ２０…出入操作筒
２１…ピストン                    ２２…容器体内負圧化防止用通気孔
２３…容器体内負圧化防止用通気孔  ２４…頂壁
２５…周縁部                      ２６…キャップ状の基部
２７…スカート部                  ２８…縦リブ
２９…係止突条                    ３０…係止突条
３１…縦案内溝                    ３２…縦案内突条
３３…係合凹溝                    ３４…係合突条
３５…起立片                      ３６…支持縦突条
３７…螺合手段                    ３８…張出し短筒
３９…張出し周縁部                ４０…短螺筒
４１…係止手段                    ４２…切欠
４３…短垂筒                      ４４…係止爪
４５…キャップ                    ４６…螺条
４７…外向きフランジ
【図１】
0003561079.tif 000002
【図２】
0003561079.tif 000003
【図３】
0003561079.tif 000004
【図４】
0003561079.tif 000005
【図５】
0003561079.tif 000006
【図６】
0003561079.tif 000007